(57)【要約】【課題】方向性を問わず容易な締結および分離が可能であって着用の便宜性を図ることができるようにする作業用安全バンドアセンブリーを提供する。【解決手段】本発明の作業用安全バンドアセンブリーは、長さおよび張力調節可能に作業者の上体および下体に密着し、前記作業者の背中部分から安全ロープが連結されるバンドアセンブリーと、前記作業者の胸部を横切って前記バンドアセンブリーの上体相当部分に向かい合うように延長され、長さおよび張力調節可能な連結バンドと、前記連結バンドの端部にそれぞれ設けられ、上面と下面が同一形状を有し、上面と下面が反転することに関係なく一方側に対して他方側が着脱可能に結合する締結ユニットとを含むことを特徴とする。【選択図】図１
2016202841.tif 000002
【特許請求の範囲】
【請求項１】
長さおよび張力調節可能に作業者の上体および下体に密着し、前記作業者の背中部分から安全ロープが連結されるバンドアセンブリーと、
前記作業者の胸部を横切って前記バンドアセンブリーの上体相当部分に向かい合うように延長され、長さおよび張力調節可能な連結バンドと、
前記連結バンドの端部にそれぞれ設けられ、上面と下面が同一形状を有し、上面と下面が反転することに関係なく一方側に対して他方側が着脱可能に結合する締結ユニットとを含むことを特徴とする、作業用安全バンドアセンブリー。
【請求項２】
前記締結ユニットは、
前記連結バンドのうち一方側に備えられた第１連結バンド部と連結され、上面と下面にそれぞれ同じ形状の受け用切欠部が設けられた受け具と、
前記連結バンドのうち他方側に備えられた第２連結バンド部と連結され、上面と下面に前記受け用切欠部に対応する同一形状の挿入用突出部がそれぞれ突設されて前記受け具に対して挿脱される挿し具とを含むことを特徴とする、請求項１に記載の作業用安全バンドアセンブリー。
【請求項３】
前記受け具は、
前記挿し具の端部を収容する内部空間を形成し、前記第１連結バンド部に連結される第１本体と、
前記第１本体の一側縁部に沿って前記挿し具の端部が挿入され、前記内部空間に連通するスロットと、
前記スロットが形成された前記第１本体の一端部の両側に備えられ、前記挿し具の端部が前記第１本体に収容された状態を維持するか、或いは前記第１本体から前記挿し具の端部を分離させる着脱具とを含み、
前記スロットは前記受け用切欠部の形成方向に沿って形成され、
前記受け用切欠部は前記第１連結バンド部の端部側に向かって陥没するように形成されることを特徴とする、請求項２に記載の作業用安全バンドアセンブリー。
【請求項４】
前記着脱具は、
前記第１本体の一端部の両側にそれぞれ備えられる回動軸と、
前記回動軸に回動可能に結合し、前記第１本体の外側に晒された回動翼と、
前記回動翼からそれぞれ延長されて前記内部空間に収容され、前記スロットを介して挿入される前記受け具の端部を案内するガイド片と、
前記内部空間に収容され、前記第１本体の内側面と前記ガイド片との間に配置され、前記ガイド片が互いに近接する方向に弾性反発力を発生させる弾性部材とを含み、
前記挿し具の端部は、前記ガイド片の端部を経て前記ガイド片に係止されて前記内部空間に収容されることを特徴とする、請求項３に記載の作業用安全バンドアセンブリー。
【発明の詳細な説明】
【技術分野】
【０００１】
本発明は、作業用安全バンドアセンブリーに係り、さらに詳しくは、方向性を問わず容易な締結および分離が可能であって着用の便宜性を図ることができるようにする作業用安全バンドアセンブリーに関する。
【背景技術】
【０００２】
安全バンドは、高所作業者が直接高層建物や足場などで安全ロープに頼って作業することができるようにする、或いは夜間で道路などの路面上で作業を行う作業者が周辺の走行車両から視覚的に認識できるようにする安全用具である。
【０００３】
このような安全バンドは、通常、作業者の胸部または腰部に一定程度の張力で密着して締め付けることができるように締結具を備えている。
【０００４】
この種の安全バンドの締結具は、一般に、方向性を持っている。例えば、上面と下面が入れ替わるように一側に挿入しようとすると、安全上の理由により締結ができないようにした構造となっている。
【０００５】
ところが、このような安全バンドを着用して路面上で作業を行う作業者の場合、迅速な着用のために方向性を考慮せず任意に脱着しようとしても、前述した構造の締結具により不便さを感じることがあった。
【先行技術文献】
【特許文献】
【０００６】
【特許文献１】韓国公開特許第２００４−００５２９４６号明細書
【特許文献２】韓国登録実用新案第０４６２５６２号明細書
【発明の概要】
【発明が解決しようとする課題】
【０００７】
本発明は、かかる問題点を改善するためになされたもので、その目的は、方向性を問わず容易な締結および分離が可能であって着用の便宜性を図ることができるようにする、作業用安全バンドアセンブリーを提供することにある。
【課題を解決するための手段】
【０００８】
上記目的を達成するために、本発明は、長さおよび張力調節可能に作業者の上体および下体に密着し、前記作業者の背中部分から安全ロープが連結されるバンドアセンブリーと、前記作業者の胸部を横切って前記バンドアセンブリーの上体相当部分に向かい合うように延長され、長さおよび張力調節可能な連結バンドと、前記連結バンドの端部にそれぞれ設けられ、上面と下面が同一形状を有し、上面と下面が反転することに関係なく一方側に対して他方側が着脱可能に結合する締結ユニットとを含むことを特徴とする、作業用安全バンドアセンブリーを提供する。
【０００９】
ここで、前記締結ユニットは、前記連結バンドのうち一方側に備えられた第１連結バンド部と連結され、上面と下面にそれぞれ同じ形状の受け用切欠部が設けられた受け具と、前記連結バンドのうち他方側に備えられた第２連結バンド部と連結され、上面と下面に前記受け用切欠部に対応する同一形状の挿入用突出部がそれぞれ突設されて前記受け具に対して挿脱される挿し具とを含んでなることを特徴とする。
【００１０】
この際、前記受け具は、前記挿し具の端部を収容する内部空間を形成し、前記第１連結バンド部に連結される第１本体と、前記第１本体の一側縁部に沿って前記挿し具の端部が挿入され、前記内部空間に連通するスロットと、前記スロットが形成された前記第１本体の一端部の両側に備えられ、前記挿し具の端部が前記第１本体に収容された状態を維持するか、或いは前記第１本体から前記挿し具の端部を分離させる着脱具とを含み、前記スロットは前記受け用切欠部の形成方向に沿って形成され、前記受け用切欠部は前記第１連結バンド部の端部側に向かって陥没するように形成されることを特徴とする。
【００１１】
前記着脱具は、前記第１本体の一端部の両側にそれぞれ備えられる回動軸と、前記回動軸に回動可能に結合し、前記第１本体の外側に晒された回動翼と、前記回動翼からそれぞれ延長されて前記内部空間に収容され、前記スロットを介して挿入される前記受け具の端部を案内するガイド片と、前記内部空間に収容され、前記第１本体の内側面と前記ガイド片との間に配置され、前記ガイド片が互いに近接する方向に弾性反発力を発生させる弾性部材とを含み、前記挿し具の端部は、前記ガイド片の端部を経て前記ガイド片に係止されて前記内部空間に収容されることを特徴とする。
【発明の効果】
【００１２】
上述したような構成の本発明によれば、バンドアセンブリーの連結バンドの端部にそれぞれ備えられた締結ユニットが方向性を問わず自由に着脱されるようにした構造によって着用の便宜性を提供して迅速な作業に投入されるようにする観点から、効率性を図ることができる。
【図面の簡単な説明】
【００１３】
【図１】本発明の一実施形態に係る作業用安全バンドアセンブリーを着用した作業者の状態を示す斜視図である。
【図２】図１の部分拡大斜視図である。
【図３】本発明の一実施形態に係る作業用安全バンドアセンブリーの主要部たる締結ユニットの結合関係を示す斜視図である。
【図４】本発明の一実施形態に係る作業用安全バンドアセンブリーの主要部たる締結ユニットの結合例を示す概念図である。
【図５】本発明の一実施形態に係る作業用安全バンドアセンブリーの主要部たる締結ユニットの結合過程を順次示すもので、図５は締結された状態を示す断面概念図である。
【図６】本発明の一実施形態に係る作業用安全バンドアセンブリーの主要部たる締結ユニットの結合過程を順次示すもので、図６は分離された状態を示す断面概念図である。
【図７】本発明の他の実施形態に係る作業用安全バンドアセンブリーの主要部たる締結ユニットの結合状態を示すもので、中心線（一点鎖線）の上側は締結された状態を、中心線の下側は分離された状態をそれぞれ示す断面概念図である。
【図８】本発明の別の実施形態に係る作業用安全バンドアセンブリーの主要部たる締結ユニットの結合例を示す概念図である。
【発明を実施するための形態】
【００１４】
本発明の利点、特徴およびその達成方法は、添付図面と共に詳細に後述される実施形態からさらに明白になるであろう。
【００１５】
以下に添付図面を参照しながら、本発明に係る好適な実施形態を詳細に説明する。
【００１６】
参考として、図１は本発明の一実施形態に係る作業用安全バンドアセンブリーを着用した作業者の状態を示す斜視図、図２は図１の部分拡大斜視図、図３は本発明の一実施形態に係る作業用安全バンドアセンブリーの主要部たる締結ユニットの結合関係を示す斜視図、図４は本発明の一実施形態に係る作業用安全バンドアセンブリーの主要部たる締結ユニットの結合例を示す概念図である。
【００１７】
そして、図５および図６は本発明の一実施形態に係る作業用安全バンドアセンブリーの主要部たる締結ユニットの結合過程を順次示すもので、図５は締結された状態、図６は分離された状態をそれぞれ示す断面概念図である。
【００１８】
本発明は、図示の如く、バンドアセンブリーＢ、連結バンドＣおよび締結ユニットＦを含む構造であることを把握することができる。
【００１９】
バンドアセンブリーＢは、長さおよび張力調節可能に作業者Ｗの上体および下体に密着し、作業者Ｗの背中の部分から安全ロープ（以下、図示せず）が連結される。
連結バンドＣは、作業者Ｗの胸部を横切ってバンドアセンブリーＢの上体相当部分に向かい合うように延長され、長さおよび張力調節が可能である。
【００２０】
締結ユニットＦは、連結バンドＣの端部にそれぞれ備えられ、上面と下面が同一形状を有するから、上面と下面が反転することに関係なく一方側に対して他方側が着脱される。
【００２１】
よって、本発明は、作業者Ｗが締結ユニットＦの相互結合を行う際に、締結構造の形状を把握し、照準し、挿入する一連の動作による時間の遅滞をなくし、迅速な締結を行うことができる。
【００２２】
本発明は、前述したような実施形態の適用が可能であり、次の多様な実施形態の適用も可能であるのは勿論である。
【００２３】
バンドアセンブリーＢは、作業者Ｗの左右肩と背中などに密着して長さ調節可能に形成される上体バンド部３０と、上体バンド部３０に連結され、作業者Ｗの左右太股または股ぐらに密着して長さ調節可能に形成される下体バンド部４０とを含む構造であることを把握することができる。
【００２４】
ここで、連結バンドＣは上体バンド３０から互いに向かい合うように延長される。
【００２５】
この際、バンドアセンブリーＢは、夜間または悪天候の際に遠くからも作業者Ｗを視覚的に認識することができるように、バンドアセンブリーＢの形成方向に沿って外側に備えられる再帰反射シート、または蛍光塗料の塗布された反射部Ｒをさらに備えることが好ましい。
【００２６】
一方、締結ユニットＦは、前述したように、方向性を問わず迅速な締結を可能とするためのもので、受け具１０と挿し具２０を含む構造であることを把握することができる。
【００２７】
受け具１０は、連結バンドＣのうち一方側に備えられた第１連結バンド部Ｃ１と連結され、上面と下面にそれぞれ同一形状の受け用切欠部１０ｓが形成されたものである。
【００２８】
挿し具２０は、連結バンドＣのうち他方側に備えられた第２連結バンド部Ｃ２と連結され、上面と下面に受け用切欠部１０ｓに対応する同一形状の挿入用突出部２０ｐがそれぞれ突設され、受け具１０に対して挿脱される。
【００２９】
前述した受け用切欠部１０ｓと挿入用突出部２０ｐは、受け具１０と挿し具２０の上・下面に対称的に同様に設けられ、挿し具２０を受け具１０に挿入して締結する際に、作業者Ｗが方向性やその締結位置または状態を把握して照準する一連の動作を省略することができるように備えられたものであるといえる。
【００３０】
よって、挿し具２０は、図４に示すように、第２連結バンド部Ｃ２が捩れた状態で上下が反転しても、受け具１０に挿入されて締結可能であるのは勿論である。
【００３１】
ここで、受け具１０は、図３〜図６を参照してさらに具体的に考察すると、第１本体１１にスロット１２と着脱具１３が備えられた構造であることを把握することができる。
【００３２】
第１本体１１は、挿し具２０の端部を収容する内部空間を形成し、第１連結バンド部Ｃ１と連結される。
【００３３】
スロット１２は、第１本体１１の一側縁部に沿って挿し具２０の端部が挿入され、内部空間と連通する。
【００３４】
着脱具１３は、スロット１２を有する第１本体１１の一端部の両側に設けられ、挿し具２０の端部が第１本体１１に収容された状態を維持するか、或いは第１本体１１から挿し具２０の端部を分離させる。
【００３５】
ここで、スロット１２は受け用切欠部１０ｓの形成方向に沿って形成され、受け用切欠部１０ｓは第１連結バンド部Ｃ１の端部側に向かって陥没するように形成されることが分かる。
【００３６】
着脱具１３の構造を図５および図６に基づいて詳細に考察すると、回動軸１３ｓに回動翼１３ｗが結合し、回動翼１３ｗにガイド片１３ｇが設けられ、ガイド片１３ｇを弾性部材１３ｅが支持する構造であることを把握することができる。
【００３７】
回動軸１３ｓは第１本体１１の一端部の両側にそれぞれ備えられ、回動翼１３ｗ、１３ｗは該回動軸１３ｓに回動自在に結合し、第１本体１１の外側に晒されている。
【００３８】
ガイド片１３ｇ、１３ｇは、回動翼１３ｗ、１３ｗからそれぞれ延長されて内部空間に収容され、スロット１２を介して挿入される受け具１０の端部を案内する。
【００３９】
弾性部材１３ｅ、１３ｅは、内部空間に収容され、第１本体１の内側面１０ｎとガイド片１３ｇ、１３ｇとの間に配置され、ガイド片１３ｇ、１３ｇが互いに近接する方向に弾性反発力を発生させる。
【００４０】
ここで、挿し具２０の端部は、ガイド片１３ｇ、１３ｇの端部を経てガイド片１３ｇ、１３ｇに係止されて内部空間に収容されることが分かる。
【００４１】
このような挿し具２０は第２本体２２に着脱片２１と係止片２３が備えられたことが分かる。
【００４２】
第２本体２２は、一端部の上面と下面にそれぞれ同一かつ上下対称的に挿入用突出部２０ｐが突設され、第２連結バンド部Ｃ２と連結される。
【００４３】
着脱片２１は挿入用突出部２０ｐから受け具１０側に向かって突出したものであり、係止片２３、２３は該着脱片２１の端部の両側からそれぞれ延長されたものである。
【００４４】
よって、係止片２３、２３は、受け具１０に収容されて受け具１０に固定された状態を維持する。
【００４５】
次に、締結ユニットＦの構造について詳細に説明する。
【００４６】
着脱片２１は、挿し具２０に備えられ、受け具１０側に向かって漸次狭くなるようにテーパーされた形状に形成される。
【００４７】
係止片２３、２３は、着脱片２１の端部の両側から着脱片２１の形成方向と直交するように延長される。
【００４８】
言い換えれば、係止片２３、２３は、ガイド片１３ｇ、１３ｇの端部を経て、弾性部材１３ｅ、１３ｅの弾性反発力によって互いに近接した状態を維持したガイド片１３ｇ、１３ｇの端部に係止され、内部空間に収容される。
【００４９】
よって、作業者Ｗは、第２本体２２を把持して係止片２３、２３の両端部の幅より狭く対向するガイド片１３ｇ、１３ｇ同士の間に着脱片２１をスロット１２に押し込むと、互いに近接した方向に弾性反発力を作用するガイド片１３ｇ、１３ｇによって狭められる抵抗力を感じることができる。
【００５０】
その後、着脱片２１が引き続き第１連結バンド部Ｃ１側に移動すると、着脱片２１の移動による力がガイド片１３ｇ、１３ｇを弾性支持する弾性部材１３ｅ、１３ｅの弾性反発力を克服してガイド片１３ｇ、１３ｇを両側（図５および図６の上下方向）に押し出しながら、図５に示すようにガイド片１３ｇ、１３ｇを経て係止片２３、２３が係止された状態となる。
【００５１】
次いで、作業者が手指を用いて第１本体１１の両側の回動軸１３ｓ、１３ｓを基準に回転翼１３ｗ、１３ｗの端部が第２本体２２側に近接するように回動させると、ガイド片１３ｇ、１３ｇは互いに遠ざかる方向に移動することになり、係止片２３、２３の係止状態が解除されながら、図６に示すように着脱片２１を含む挿し具２０の第２本体２２が第１本体１１から分離される。
【００５２】
一方、本発明は、図５および図６を参照すると、内側面１０ｎに凹設された第１受け溝１１ｖと、第１受け溝１１ｖと対面するガイド片１３ｇ、１３ｇに凹設された第２受け溝１２ｖとをさらに備え、第１受け溝１１ｖと第２受け溝１２ｖにコイルばねなどの弾性部材１３ｅ、１３ｅの両端部が装着されるようにすることもできる。
【００５３】
また、弾性部材１３ｅ、１３ｅは、前述したようなコイルばね状のものを使用することもできるのはもとより、図７に示すように板ばね状のものを使用することもできる。
【００５４】
すなわち、弾性部材１３ｅ、１３ｅは、内側面１０ｎに接触する第１片１３ｅ１と、第１片１３ｅ１と対面するガイド片１３ｇ、１３ｇに接触する第２片１３ｅ２と、第１片１３ｅ１の端部と第２片１３ｅ２の端部とを互いに連結し、弾性変形を許容する変形片１３ｅｃとを含む構造の実施形態を適用することもできる。
【００５５】
言い換えれば、第２片１３ｅ２は、第１片１３ｅ１に対して第１本体１１の両側のガイド片１３ｇ、１３ｇが互いに近接する方向に弾性反発力を作用し、図７に一点鎖線で表示された中心線を基準に上側を締結状態、下側を分離状態とそれぞれ仮定するとき、図５および図６と同一の方法による回転翼１３ｗ、１３ｗの操作によって第２本体２２を第１本体１１に対して分離または締結することができる。
【００５６】
一方、本発明は、図４に示すように極端的に第２連結バンド部Ｃ２が捩れた場合でも締結できるようにするのはもとより、図８に示すように挿し具２０の回転を許容して締結による方向性および締結位置を照準するなどの煩わしい一連の動作を省略することもできる。
【００５７】
すなわち、締結ユニットＦは、図示の如く、第２連結バンド部Ｃ２と挿し具２０との間に配置され、第２連結バンドＣ２が長さおよび張力調節可能に連結される連結片５０と、挿し具２０から延長されて連結片５０に回転可能に結合する回転突片６０とをさらに含む構造の実施形態を適用することもできる。
【００５８】
以上、本発明は、方向性を問わず容易な締結および分離が可能であって着用の便宜性を図ることができるようにする作業用安全バンドアセンブリーを提供することを基本的な技術的思想としていることが分かる。
【符号の説明】
【００５９】
１０    受け具
１０ｎ    受け具の内側面
１０ｓ    受け用切欠部
１１    第１本体
１１ｖ    第１受け溝
１２ｖ    第２受け溝
１２    スロット
１３    着脱具
１３ｅ、１３ｅ    弾性部材
１３ｅ１    第１片
１３ｅ２    第２片
１３ｅｃ    変形片
１３ｇ、１３ｇ    ガイド片
１３ｓ    回動軸
１３ｗ、１３ｗ    回動翼
２０    挿し具
２０ｐ    挿入用突出部
２１    着脱片
２２    第２本体
２３、２３    係止片
３０    上体バンド部
４０    下体バンド部
５０    連結片
６０    回転突片
Ｂ    バンドアセンブリー
Ｃ    連結バンド
Ｃ１    第１連結バンド部
Ｃ２    第２連結バンド部
Ｆ    締結ユニット
Ｒ    反射部
Ｗ    作業者
【図１】
2016202841.tif 000003
【図２】
2016202841.tif 000004
【図３】
2016202841.tif 000005
【図４】
2016202841.tif 000006
【図５】
2016202841.tif 000007
【図６】
2016202841.tif 000008
【図７】
2016202841.tif 000009
【図８】
2016202841.tif 000010